(57)【要約】      （修正有）【課題】家庭内の電源利用、歩行中のカイロ利用の遠赤外線放射熱、自動車内の１００Ｖ用電圧変換器利用による温熱・電位治療が可能な装置を目的としている。【解決手段】織布にカーボン塗料を塗布又は含浸させた抵抗体を樹脂で絶縁、被覆した後、電極端子Ｂａ、Ｂｂを設け電気的配線を行い電位、温熱治療装置Ａをもたらす。この治療装置Ａから電源コードＤとジョイントＤａ、Ｄｂを通じコントローラーＥにおいて、温熱、電位の切替え装置により電位、温熱治療を行う。更に治療装置Ａの片面にカイロＣの接着部Ｃａを張り合わせた後、治療装置Ａから電源コード一切を取り外すことで、カイロを熱源としカーボン抵抗体Ｂに透過させることによる遠赤外線放射熱で、無コードで温熱治療を可能にした可撓性遠赤外線放射体が完成する。【選択図】図１
0003131338.tif 000002
【実用新案登録請求の範囲】
【請求項１】
本装置は、織布の両側縁部に電極帯を設けた基布に、カーボン塗料を塗布又は含浸し、その周囲を樹脂で絶縁防水した面発熱体、又は線面発熱体及びカーボン樹脂フイルム発熱体において、該発熱体の抵抗をそれぞれ１２Ｖ、２４Ｖ、１００Ｖに設定作成し温度制御装置と電気配線を装着した後、周囲全面を絶縁防水加工し、取り付け取り外しを可能にし、自動車用１２Ｖから１００Ｖの変換装置と、該変換装置に連結したコントローラーには、家庭用１００Ｖの温熱、電位の切り替え装置及び温度制御装置を具備してなる家庭用又は自動車併用の可撓性温熱・電位治療装置。
【請求項２】
前記請求項１の可撓性温熱・電位治療装置の片面に、鉄粉、水、活性炭、バーミクライト、高吸水性樹脂、塩類、天然鉱石粉等を原料としたカイロと、該カイロの片面に接着剤を具備し、接着固定した局部治療用温熱放射体は、遠赤外線を放射するカイロ式温熱装置として適応する、更に、１００Ｖ用コントローラーによる温熱、電位の切り替え装置にも使用可能にしてなる家庭用又は自動車併用の可撓性温熱・電位治療装置。
【請求項３】
織布にカーボン液を塗布又は含浸した抵抗体の片面又は両面に、柔軟性樹脂を被着した抵抗体又はカーボンフイルム抵抗体とカーボン線面抵抗体及びセラミック樹脂等の遠赤外線放射体の裏側片面に、鉄粉、水、活性炭、バーミクライト、高吸水性樹脂、塩類、天然鉱石粉等を原料としたカイロの片面接着部を接着固定し、表側肌面には前記抵抗体を伝導し遠赤外線熱として放射するカイロを熱源とする温熱装置と、前記請求項１の温熱、電位治療装置を組み合わせてなる家庭用又は自動車併用の可撓性温熱・電位治療装置。
【請求項４】
銀又はチタンを使用した保温性ベスト又はジャケツトにおいて、身体に接する面の肩部、背中部、腰部等に請求項１又は２の温熱・電位装置が挿入できるポケットを付装し、各ポケット内に温熱・電位装置を内設し、各ポケットからの連結コードをチャック方式又は面ファスナーで取り付け取り外しを可能にし、電源コードの取り付けも歩行自由にしてなる家庭用又は自動車併用の可撓性温熱・電位治療装置。
【請求項５】
銀又はチタン等の保温性の高いベスト又はジャケツトにおいて、肩部、背中部、腰部に設けたポケットに前記請求項３のカイロを熱源とする温熱装置を内設し、７μｍ〜１３μｍの波長を有する遠赤外線熱を放射する歩行自由な、カイロを熱源とする可撓性温熱装置。
【請求項６】
上着、下着、浴衣、着物、半纏の身体部背面に接する肩部、背中部、腰部に設けたポケットに前記請求項３のカイロを熱源とする温熱装置を内設し、７μｍ〜１３μｍの波長を有する遠赤外線熱を放射する歩行自由な、カイロを熱源とする可撓性温熱装置。
【考案の詳細な説明】
【技術分野】
【０００１】    本考案の装置は、可撓性カーボン面発熱体に温熱、電位の配線を装着した装置と、接着可能なカイロを熱源とし、そのカイロを可撓性カーボン抵抗体に接着固定し遠赤外線熱を放射する温熱体を、ベスト、腹筋調整具、着物、半纏等の内ポケットに内設し、室内、室外、自動車内でも治療可能にしてなるカイロ式可撓性温熱装置又は温熱・電位治療装置に関する。
【背景技術】
【０００２】    従来から敷フトン、カーペットには温熱、電位の治療装置はあった。昼夜何時でも身体に接触させ治療する装置は、当社の背筋矯正具、腹筋調節具に内設した温熱、電位治療装置（実願登録第３１２４５７１号）はあるが、歩行中の温熱装置、自動車内での温熱・電位治療装置は未だにない。
【考案の開示】
【考案が解決しょうとする課題】
【０００３】    この装置は、主に自動車運転手、釣船用船主又は釣人、工業又は農業用トラックター等の作業者、サラリーマン、運動選手、家庭の主婦又は高齢者に最適な装置である。
この物理治療効果は、家庭内の電源利用、歩行中のカイロ利用の遠赤外線放射熱、自動車内の１００Ｖ用電圧変換器利用による温熱・電位治療が可能な装置を目的としている。
又更に健康治療効果も目的としている。
【課題を解決するための手段】
【０００４】    この装置は、保温性のあるもので身体に密着し作業可能な衣類が最適である。
適応性の高い衣類は、ベストに銀、チタン利用で保温性をもたらし、肩部、背中部、腰部、に治療可能な装置が内設できるポケットを設けた軽量ベストとする。その他着物、半纏等に内設できるのもよい。    更に、夏冬拘わらず本考案の温熱治療装置又は腹筋調節具の温熱装置により、血流と新陳代謝による発汗効果が高く、電位治療と共に物理療法として使用することが望ましい。    具体的には次ぎのとおりである。
【０００５】    請求項１の装置は、織布の両側縁部に電極帯を設けた基布に、カーボン塗料を塗布又は含浸し、その周囲を樹脂で防水絶縁した面発熱体、又は線面発熱体及びカーボン樹脂フイルム発熱体の抵抗を、それぞれ１２Ｖ、２４Ｖ、１００Ｖ用に設定作成し、温度制御装置と電気配線を装着した後、周囲全面を絶縁防水加工し、取り付け取り外しを可能にし、自動車用１２Ｖから１００Ｖの変換装置と、該変換装置に連結したコントローラーには、家庭用１００Ｖの温熱、電位の切り替え装置及び温度制御装置を具備してなる家庭用又は自動車併用の可撓性温熱・電位治療装置である。
【０００６】    請求項２の装置は、前記請求項１の可撓性温熱・電位装置の片面に、鉄粉、水、活性炭、バーミクライト、高級水性樹脂、塩類、天然鉱石粉等を原料としたカイロと、該カイロの片面に接着剤を具備し、接着固定した局部治療用温熱放射体は、遠赤外線を放射するカイロ式温熱装置に適応する、更に１００Ｖ用コントローラーによる温熱、電位の切り替え装置にも使用可能にしてなる家庭用又は自動車併用の可撓性温熱・電位治療装置である。
【０００７】    請求項３の装置は、織布にカーボン液を塗布又は含浸した抵抗体の片面又は両面に、柔軟性樹脂を被着した抵抗体又はカーボンフイルム抵抗体とカーボン線面抵抗体、及びセラミック樹脂等の遠赤外線放射体の裏側片面に、鉄粉、水、活性炭、バーミクライト、高級水性樹脂、塩類、天然鉱石粉等を原料としたカイロの片面接着部を接固定し、表側肌面には前記抵抗体を伝導し遠赤外線熱を放射するカイロを熱源とする温熱装置と、前記請求項１の温熱、電位治療装置を組み合わせてなる家庭用又は自動車併用の可撓性温熱・電位治療装置である。
【０００８】    請求項４の装置は、銀又はチタンを使用した保温性ベスト又はジャケットにおいて、身体に接する面の肩部、背中部、腰部等に請求項１又は請求項２の温熱・電位装置が挿入できるポケットを付装し、各ポケット内に温熱・電位装置を内設し、各ポケットからの連結コードをチャック方式又は面ファスナーで取り付け取り外しを可能にし、電源コードの取り付けも歩行自由にしてなる家庭用又は自動車併用の可撓性温熱・電位治療装置である。
【０００９】    請求項５の装置は、銀又はチタン等の保温性の高いベスト又はジャケットにおいて、肩部、背中部、腰部に設けたポケットに前記請求項３のカイロを熱源とする温熱装置を内設し、７μｍ〜１３μｍの波長を有する遠赤外線熱を放射する歩行自由な、カイロを熱源とする可撓性温熱装置である。
【００１０】  請求項６の装置は、上着、下着、浴衣、着物、半纏の身体部背面に接する肩部、背中部、腰部に設けたポケットに前記請求項３のカイロを熱源とする温熱装置を内設し、７μｍ〜１３μｍの波長を有する遠赤外線熱を放射する歩行自由な、カイロを熱源とする可撓性温熱装置である。
【考案の効果】
【００１１】    本考案の特徴は、身体の局部的治療装置で従来に無い構成のものである。
特徴の１は、カーボン面発熱体に温熱、電位の組合せ装置を設け、更に装置の反面に鉄粉、水、活性炭、バーミクライト、高級水性樹脂、塩類、天然鉱石粉等を原料としたカイロを張り合わせた電気エネルギー以外の熱源による温熱装置の組合せ治療装置である。
特徴の２は、自動車用１２Ｖを１００Ｖに変換し、家庭内でも自動車内でも１００Ｖの温熱治療又は１００Ｖの電位治療を可能にしたことである。
特徴の３は、可撓性を有するカーボン面抵抗体、カーボンフイルム抵抗体、セラミック樹脂等の遠赤外線放射体の反面に、鉄粉、水、活性炭、バーミクライト、高級水性樹脂、塩類、天然鉱石粉等を原料とするカイロを接着してなるカイロ式遠赤外線放射体を採用したことである。この種の特徴は、身体の皮膚下４〜５ｃｍの深部まで放射熱は浸透し、低温火傷のない「まろやか」な温度を発生し、夏冬に関係なく血液の循環を促進させ新陳代謝をもたらすため発汗効果による排泄物を放出する最も優れた効果を有する。
【実施例１】
【００１２】    例えば図１は、織布にカーボン塗料を塗布又は含浸させた抵抗体を樹脂で絶縁、被覆した後、電極端子Ｂａ、Ｂｂを設け電気的配線を行い電位、温熱治療装置Ａをもたらす。この治療装置Ａから電源コードＤとジョイントＤａ、Ｄｂを通じコントローラーＥにおいて、温熱、電位の切替え装置により電位、温熱治療を行う。更に自動車１２Ｖから１００Ｖの変換装置Ｆに電源プラグＤｃを接続させた後、自動車用シガレットプラグＧに差し込むことで１００Ｖの電位、温熱治療が可能となる。又更に治療装置Ａの片面にカイロＣの接着部Ｃａを張り合わせた後、治療装置Ａから電源コード一切を取り外すことで、カイロを熱源としカーボン抵抗体Ｂに透過させることによる遠赤外線放射熱で、無コードで温熱治療を可能にした可撓性遠赤外線放射体が完成する。
図２は、図１の平面図である。カーボン抵抗体Ｂの周囲を樹脂で絶縁被覆した温熱、電位治療装置Ａには電極端子Ｂａ、Ｂｂが取り付けられ電源コードＤ又はプラグＤａが電気配線される。その片面に接着剤Ｃａを具備したカイロＣが張り合わされカイロ式発熱体から放射する遠赤外線放射体Ａー１となる。更に温熱、電位治療装置Ａにも適応される。【００１３】    図３は、織布にカーボン塗料を塗布又は含浸した抵抗体に柔軟性樹脂で片面又は両面をラミネートしたカーボン抵抗体から放射する遠赤外線放射体Ａー１、或いはカーボンフイルム抵抗体及びセラミック樹脂抵抗体等の片面に接着剤Ｃａを具備したカイロＣを張り合わせ遠赤外線を放射するカイロを熱源とする温熱装置である。
図４は、銀又はチタンを施したベストＨの内側立体図である。このベストは背中部のポケットａー１と腰部のポケットａー２と肩部ポケットａー３が縫製固定されている。ａー１又はａー２には家庭用又は自動車併用の身体局部温熱・電位治療装置Ａ、Ａが挿入されｂー１、ｂー２のチャックで開閉される。更に電源コードＤは面ファスナーｃで固定される。    このベストの更なる特徴は、歩行自由で無コードで温熱効果のある装置として、温熱、電位治療装置Ａ、Ａを取り外し、カイロを熱源とする遠赤外線放射体Ａー１をポケットａー１、ａー２、ａー３に挿入し、最後にベストのチャックｂ、ｂを閉じることで約１５時間の温熱ベストとして使用可能となる。
【産業上の利用可能性】
【００１４】    本考案の装置は、釣用ベスト、野球、スキー選手用ベスト、ゴルファー用ベスト、男女事務用ベスト、軍隊用ベスト、交通警察用ベスト、タクシーの運転手用ベスト、その他作業者用ベストの他、旅館用半纏に組み込むことも出来る画期的装置である。
【図面の簡単な説明】
【００１５】
【図１】電位・温熱治療装置にカイロを装備した斜面図である。
【図２】電位・温熱治療装置にカイロを装備した平面図である。
【図３】カーボン抵抗体にカイロを装備した斜面図である。
【図４】ベストの内側に装置を装備してある立面図である。
【符号の説明】
【００１６】          Ａ…電位・温熱治療装置
Ａー１…遠赤外線放射体
ａー１…背中部ポケット
ａー２…腰部ポケット
ａー３…肩部ポケット
Ｂ…可撓性カーボン抵抗体
Ｂａ、Ｂｂ…電極端子
ｂ…ベストの前閉めチャック
ｂー１…背中ポケット用チャック
ｂー２…腰ポケット用チャック
ｂー３…肩ポケット用チャック
Ｃ…カイロ
Ｃａ…カイロの接着剤
ｃ…面ファスナー
Ｄ…電源コード
Ｄａ、Ｄｂ…電源コードのジョイントプラグ
Ｄｃ…電源コード先端プラグ
Ｅ…コントローラー
Ｆ…１２Ｖから１００Ｖへの変換装置
Ｇ…自動車用シガレットプラグ
Ｈ…ベスト
Ｈー１、Ｈー２…袖通し穴
【図１】
0003131338.tif 000003
【図２】
0003131338.tif 000004
【図３】
0003131338.tif 000005
【図４】
0003131338.tif 000006